Podtech/llm-jp-corpus-v4-ja_patent huggingface dataset:
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ測定手段とを有する画像形成装置において、
前記記録媒体サイズ測定手段によって測定された記録媒体サイズ情報に基づいて、前記画像処理前の前記画像情報に対して補正を行う補正手段を備えたことを特徴とする画像形成装置。
【請求項２】  画像を読み取る画像読み取り手段を備え、前記画像処理手段は、前記画像読み取り手段で読み取られた画像情報に基づいて画像処理を行う手段を有し、
前記補正手段は、前記画像読み取り手段で読み取る前記画像情報に対して、読み取り倍率及び読み取り位置の変更を行う手段を有することを特徴とする請求項１記載の画像形成装置。
【請求項３】  前記画像処理手段は、外部機器から送信される画像情報に基づいて画像処理を行う手段を有し、
前記補正手段は、前記外部機器から送信される画像情報の倍率及び位置の変更を行う手段を有することを特徴とする請求項１または２に記載の画像形成装置。
【請求項４】  画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ測定手段とを有する画像形成装置において、
任意の画像倍率及び画像位置を指定可能な画像倍率・位置指定手段と、
前記画像倍率・位置設定手段によって指定された画像倍率及び画像位置と、前記記録媒体サイズ測定手段で測定される記録媒体の長さ及び幅に基づいて、前記画像処理前の前記画像情報に対して補正を行う補正手段とを備えたことを特徴とする画像形成装置。
【請求項５】  前記記録媒体サイズ測定手段によって測定された記録媒体サイズ情報を表示する表示手段を備えた請求項４記載の画像形成装置。
【請求項６】  画像を読み取る画像読み取り手段を備え、前記画像処理手段は、前記画像読み取り手段で読み取られた画像情報に基づいて画像処理を行う手段を有し、
前記補正手段は、前記画像倍率・位置設定手段によって指定された画像倍率及び画像位置に基づいて、前記画像読み取り手段で読み取る前記画像情報に対して、読み取り倍率及び読み取り位置の変更を行う手段を有することを特徴とする請求項４または５に記載の画像形成装置。
【請求項７】  前記画像処理手段は、外部機器から送信される画像情報に基づいて画像処理を行う手段を有し、
前記補正手段は、前記画像倍率・位置設定手段によって指定された画像倍率及び画像位置に基づいて、前記外部機器から送信される画像情報の倍率及び位置の変更を行う手段を有することを特徴とする請求項４乃至６に記載の画像形成装置。
【請求項８】 前記補正手段は、前記定着手段による定着後の前記記録媒体を前記転写手段に搬送することに応じて、前記記録媒体サイズ測定手段に基づく前記定着手段による定着前後の前記記録媒体のサイズと、前記定着手段の定着前の前記記録媒体上に形成された画像サイズとから、定着後の前記記録媒体上に形成される画像の倍率と少なくとも定着後の前記記録媒体の搬送方向と直交する方向の余白位置とを補正することを特徴とする請求項１及至７記載の画像形成装置。
【請求項９】 前記補正手段は、前記定着手段による定着後の前記記録媒体を前記転写手段に搬送し前記記録媒体の表裏面に画像を形成することに応じて、前記記録媒体サイズ測定手段に基づく前記定着手段による定着前後の前記記録媒体のサイズと、前記定着手段の定着前の前記記録媒体上に形成された画像サイズとから、前記記録媒体の裏面に形成される画像の倍率を補正すると共に、前記記録媒体の表面に形成される搬送方向後端の余白を補正して前記記録媒体の裏面上に形成される搬送方向先端の余白とし、かつ又は前記記録媒体の搬送方向と直交する方向の余白位置を補正することを特徴とする請求項１及至７記載の画像形成装置。
【手続補正２】
【補正対象書類名】明細書
【補正対象項目名】０００１
【補正方法】変更
【補正の内容】
【０００１】
【発明の属する技術分野】
本発明は、複写機・プリンタ等の電子写真方式の画像形成装置に関するものである。
【手続補正３】
【補正対象書類名】明細書
【補正対象項目名】０００８
【補正方法】変更
【補正の内容】
【０００８】
本発明は、これらの課題を解決するためになされたもので、その目的とするところは、同一用紙へ連続して複数回の画像形成を行う際の、定着による用紙伸縮に対する画像サイズ・位置の補正を、装置制御の複雑化、画質劣化を伴うことなく行うことができる画像形成装置を提供することである。
【手続補正書】
【提出日】平成17年8月24日(2005.8.24)
【手続補正１】
【補正対象書類名】明細書
【補正対象項目名】請求項４
【補正方法】変更
【補正の内容】
【請求項４】  請求項３記載の可変位相調整器において、前記各スタブは、それの前記第１及び第２の伝送ラインへの接続位置からその開放端までの全長が、前記接続位置から前記開放端部または短絡端部までの直線距離よりも長く設定されている可変位相調整器。
【手続補正２】
【補正対象書類名】明細書
【補正対象項目名】００１２
【補正方法】変更
【補正の内容】
【００１２】
各スタブは、それらの前記第１及び第２の伝送ラインへの接続位置からその開放端部までの全長を、前記接続位置から前記開放端部までの直線距離よりも長く設定することができる。このように構成すると、可変位相調整器を小型化することができる。
【手続補正３】
【補正対象書類名】明細書
【補正対象項目名】００３６
【補正方法】変更
【補正の内容】
【００３６】
上記の各実施の形態では、３ｄＢカプラライン１０を使用したが、これに限ったものではなく、例えばリアクタンスを有する伝送ラインを設け、これの所定位置に上述したようなマイクロストリップライン形のスタブまたはトロンボーン形の可変容量素子を設けることも可能である。また、上記の各実施の形態では、スタブは、カプラライン１０に接続されていない端部を開放端部としたが、接地電位点に短絡されている短絡端部とすることもできる。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
遊技機における遊技盤の盤面図柄を表す盤面図柄画像および当該遊技機の遊技に対応する遊技用画像を当該遊技盤に背面から投射表示する表示方法であって、
互いに内容の異なる複数の遊技のうちから１の遊技が選択されたときに所定の条件が満たされたとして当該所定の条件に対応付けられている当該選択された遊技にそれぞれ対応する前記盤面図柄画像および前記遊技用画像を投射表示する表示方法。
【請求項２】
互いに異なるキャラクタをそれぞれ含む複数の前記遊技用画像の当該各キャラクタのうちから１のキャラクタが選択されたときに当該選択されたキャラクタを含む当該遊技用画像を投射表示する請求項１に記載の表示方法。
【請求項３】
遊技機における遊技盤の盤面図柄を表す複数の盤面図柄画像についての各盤面図柄画像データおよび当該遊技機の遊技に対応する遊技用画像についての遊技用画像データを記憶する記憶部と、前記盤面図柄画像および前記遊技用画像を前記遊技盤に背面から投射表示する投射機構と、前記盤面図柄画像データおよび前記遊技用画像データに基づいて前記盤面図柄画像および前記遊技用画像をそれぞれ生成して前記投射機構に対して投射表示させる制御部と、前記複数の盤面図柄画像のうちから１の盤面図柄画像を選択可能に構成されると共に当該選択された１の盤面図柄画像を指定する図柄指定信号を出力する選択操作部とを備え、
前記選択操作部は、互いに内容の異なる複数の遊技のうちから１の遊技を選択可能に構成されると共に当該選択された１の遊技を指定する遊技指定信号を出力し、
前記記憶部は、複数の前記遊技にそれぞれ対応する複数の遊技用画像についての各遊技用画像データを記憶し、
前記制御部は、前記遊技指定信号が出力されたときに前記所定の条件が満たされたとして当該所定の条件に対応付けられている当該遊技指定信号によって指定される前記１の遊技にそれぞれ対応する前記盤面図柄画像および前記遊技用画像を前記盤面図柄画像データおよび前記遊技用画像データに基づいてそれぞれ生成して前記投射機構に対して投射表示させる遊技機用表示装置。
【請求項４】
前記選択操作部は、互いに異なる複数のキャラクタのうちから１のキャラクタを選択可能に構成されると共に当該選択された１のキャラクタを指定するキャラクタ指定信号を出力し、
前記記憶部は、前記各キャラクタをそれぞれ含む複数の前記遊技用画像についての各遊技用画像データを記憶し、
前記制御部は、前記キャラクタ指定信号が出力されたときに前記１のキャラクタを含む前記遊技用画像を前記遊技用画像データに基づいて生成して前記投射機構に対して投射表示させる請求項３に記載の遊技機用表示装置。
【請求項５】
遊技機における遊技盤の盤面図柄を表す複数の盤面図柄画像についての各盤面図柄画像データおよび当該遊技機の遊技に対応する遊技用画像についての遊技用画像データを記憶する記憶部と、前記盤面図柄画像および前記遊技用画像を前記遊技盤の背面側で表示する表示部と、前記盤面図柄画像データおよび前記遊技用画像データに基づいて前記盤面図柄画像および前記遊技用画像をそれぞれ生成して前記表示部に対して表示させる制御部と、前記複数の盤面図柄画像のうちから１の盤面図柄画像を選択可能に構成されると共に当該選択された１の盤面図柄画像を指定する図柄指定信号を出力する選択操作部とを備え、
前記選択操作部は、互いに内容の異なる複数の遊技のうちから１の遊技を選択可能に構成されると共に当該選択された１の遊技を指定する遊技指定信号を出力し、
前記制御部は、前記遊技指定信号が出力されたときに前記所定の条件が満たされたとして当該所定の条件に対応付けられている当該遊技指定信号によって指定される前記１の遊技にそれぞれ対応する前記盤面図柄画像および前記遊技用画像を前記盤面図柄画像データおよび前記遊技用画像データに基づいてそれぞれ生成して前記表示部に対して表示させる遊技機用表示装置。
【請求項６】
請求項３から５のいずれかに記載の遊技機用表示装置を備えている遊技機。
【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】遊技機の制御方法、および遊技機
【手続補正２】
【補正対象書類名】明細書
【補正対象項目名】特許請求の範囲
【補正方法】変更
【補正の内容】
【特許請求の範囲】
【請求項１】
光源と、光源からの光を遊技用画像に変調して遊技盤に投射可能に構成されたプロジェクタユニットと、遊技球を遊技盤に打ち出し可能に構成された打出し機構とを備えた遊技機の制御方法であって、
前記光源が球切れしたときに前記打出し機構の作動を停止させるとともに、前記遊技盤の額縁部に配設された複数の装飾用ランプの少なくとも1つが前記光源の球切れを報知する遊技機の制御方法。
【請求項２】
前記遊技機の各遊技状態にそれぞれ対応させて予め規定された制御処理を実行し、前記光源が球切れしたときに実行中の当該制御処理を停止する請求項１記載の遊技機の制御方法。
【請求項３】
前記光源が球切れしたときに当該光源の球切れ時の前記遊技状態を記憶部に記憶させ、前記球切れが解消したときに前記記憶させていた遊技状態に対応する前記制御処理を開始する請求項２記載の遊技機の制御方法。
【請求項４】
前記光源が球切れしたときに当該光源の球切れ時の前記遊技状態を記憶部に記憶させるとともに当該光源の球切れ時から所定時間内に所定権利が発生したときに当該権利内容を前記記憶部に記憶させ、前記光源の球切れが解消したときに前記記憶させている遊技状態に前記記憶させている権利内容を付加した遊技状態を特定し、当該特定した遊技状態に対応する前記制御処理を開始する請求項３記載の遊技機の制御方法。
【請求項５】
光源と、光源からの光を遊技用画像に変調して遊技盤に投射可能に構成されたプロジェクタユニットと、前記光源が球切れしたときに球切れ検出信号を出力する検出部と、作動時において前記遊技盤の表面側に遊技球を打ち出し可能に構成された打出し機構と、当該打出し機構の作動を制御する制御部とを備えた遊技機であって、
前記制御部は、前記検出部によって前記球切れ検出信号が出力されたときに前記打出し機構の作動を停止させるとともに、前記球切れ検出信号が出力されたときに前記光源の球切れを前記遊技盤の額縁部に配設された複数の装飾用ランプの少なくとも1つに表示させる遊技機。
【請求項６】
当該遊技機における遊技の各遊技状態にそれぞれ対応する制御処理の手順を規定する制御処理手順データを記憶する記憶部を備え、
前記制御部は、前記記憶されている制御処理手順データの前記手順に従って前記制御処理を実行すると共に、前記検出部からの前記検出信号が出力されたときに実行中の当該制御処理を停止する請求項５記載の遊技機。
【請求項７】
前記制御部は、前記検出部からの前記検出信号が出力されたときの前記遊技状態を示す遊技状態データを生成して前記記憶部に記憶させると共に、前記光源の球切れが解消したときに前記遊技状態データに基づいて前記遊技状態を特定して当該特定した遊技状態に対応する前記制御手順データの前記手順に従って前記制御処理を開始する請求項６記載の遊技機。
【請求項８】
前記制御部は、前記検出部からの前記検出信号が出力されたときの前記遊技状態を示す遊技状態データを生成して前記記憶部に記憶させると共に当該出力時から所定時間内に所定権利が発生したときにその権利内容を示す権利内容データを生成して当該記憶部に記憶させ、かつ前記光源の球切れが解消したときに前記遊技状態データおよび前記権利内容データに基づいて前記検出部からの前記検出信号の出力時の前記遊技状態に前記権利内容を付加した遊技状態を特定して当該特定した遊技状態に対応する前記制御処理手順データの前記手順に従って前記制御処理を開始する請求項６記載の遊技機。
【請求項９】
前記制御部は、前記検出部からの前記検出信号の出力時から所定時間内に所定権利が発生したときにその権利内容を前記検出部からの前記検出信号の出力時の前記遊技状態に付加した遊技状態を示す遊技状態データを生成して記憶部に記憶させると共に、前記光源の球切れが解消したときに前記遊技状態データに基づいて前記遊技状態を特定して当該特定した遊技状態に対応する前記制御処理手順データの前記手順に従って前記制御処理を開始する請求項６記載の遊技機。
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
コンピュータ制御されるエネミキャラクタと、プレイヤの入力操作に応答して仮想的に発射される弾丸との衝突を判定し、仮想空間に配置される仮想視点から見た前記エネミキャラクタの様子を画面に表示する処理をコンピュータシステムに実行させるためのコンピュータプログラムであって、
前記コンピュータシステムに、
プレイヤから視覚効果処理を要求する旨の視覚効果要求入力が行われたか否かを判定する視覚効果要求入力判定ステップと、
前記視覚効果要求入力が行われた場合に、少なくとも前記エネミキャラクタと、前記エネミキャラクタから発射される弾丸の各々についての表示速度を遅くして画像表示処理を行う視覚効果処理ステップと、
前記視覚効果処理ステップにおいて、プレイヤの入力操作に応答して仮想的に発射される弾丸と、射撃対象となる前記エネミキャラクタ又は前記エネミキャラクタから発射された弾丸のうち少なくとも何れか一方との衝突判定を行う衝突判定ステップと、
前記衝突判定ステップにおいて、プレイヤの入力操作に応答して仮想的に発射される弾丸と前記射撃対象とが衝突する場合に、前記射撃対象が被弾する画像を前記画面に表示する被弾映像表示ステップと、
前記視覚効果可能処理ステップを実行できる残存時間の経過量を前記画面に表示する残存時間表示ステップと、
を実行させる、コンピュータプログラム。
【請求項２】
請求項１に記載のコンピュータプログラムであって、
前記コンピュータシステムに、
前記エネミキャラクタから少なくとも所定時間内に弾丸が発射される弾丸発射待ち状態に遷移したか否かを判定する弾丸発射待ち状態判定ステップと、
前記弾丸発射待ち状態に遷移した場合に、前記視覚効果要求入力判定ステップと、
を実行させる、コンピュータプログラム。
【請求項３】
請求項２に記載のコンピュータプログラムであって、
前記コンピュータシステムに、
前記視覚効果可能処理ステップが実行されていない時間経過量を計測する計測ステップと、
前記計測ステップで計測された時間経過量に応じて前記残存時間を増加させる残存時間更新ステップと、
を実行させる、コンピュータプログラム。
【請求項４】
請求項３に記載のコンピュータプログラムであって、
前記コンピュータシステムに、
二人以上のプレイヤがプレーを行うモードであるか否かを判定するプレーモード判定ステップと、
前記プレーモード判定ステップにおいて、二人以上のプレイヤがプレーを行うモードであると判定した場合に、前記残存時間更新ステップにおける前記残存時間の増加量が、一人のプレイヤがプレーを行うモードでの前記残存時間の増加量と異なるように前記残存時間を更新するステップと、
を実行させる、コンピュータプログラム。
【請求項５】
請求項１乃至請求項４のうち何れか１項に記載のコンピュータプログラムであって、
前記コンピュータシステムに、
前記視覚効果処理ステップが実行さているか否かを判定するステップと、
前記視覚効果処理ステップが実行されていると判定された場合に、少なくとも前記エネミキャラクタについて、前記視覚効果処理がなされる前後において表示態様が視覚的に変化する画像エフェクト処理を施すステップと、
を実行させる、コンピュータプログラム。
【請求項６】
請求項１乃至請求項５のうち何れか１項に記載のコンピュータプログラムであって、
前記視覚効果要求入力は、前記コンピュータシステムに接続するフットペダルがプレイヤによって足踏み操作されたときに前記コンピュータシステムに出力される操作信号である、コンピュータプログラム。
【請求項７】
請求項１乃至請求項６のうち何れか１項に記載のコンピュータプログラムを記録したコンピュータ読取可能な記録媒体。
【手続補正２】
【補正対象書類名】明細書
【補正対象項目名】０００５
【補正方法】変更
【補正の内容】
【０００５】
【課題を解決するための手段】
上記の課題を解決するため、本発明のコンピュータプログラムは、コンピュータ制御されるエネミキャラクタと、プレイヤの入力操作に応答して仮想的に発射される弾丸との衝突を判定し、仮想空間に配置される仮想視点から見た前記エネミキャラクタの様子を画面に表示する処理をコンピュータシステムに実行させるためのコンピュータプログラムであって、前記コンピュータシステムに、プレイヤから視覚効果処理を要求する旨の視覚効果要求入力が行われたか否かを判定する視覚効果要求入力判定ステップと、前記視覚効果要求入力が行われた場合に、少なくとも前記エネミキャラクタと、前記エネミキャラクタから発射される弾丸の各々についての表示速度を遅くして画像表示処理を行う視覚効果処理ステップと、前記視覚効果処理ステップにおいて、プレイヤの入力操作に応答して仮想的に発射される弾丸と、射撃対象となる前記エネミキャラクタ又は前記エネミキャラクタから発射された弾丸のうち少なくとも何れか一方との衝突判定を行う衝突判定ステップと、前記衝突判定ステップにおいて、プレイヤの入力操作に応答して仮想的に発射される弾丸と前記射撃対象とが衝突する場合に、前記射撃対象が被弾する画像を前記画面に表示する被弾映像表示ステップと、前記視覚効果可能処理ステップを実行できる残存時間の経過量を前記画面に表示する残存時間表示ステップと、を実行させる。
【手続補正書】
【提出日】平成16年3月3日(2004.3.3)
【手続補正１】
【補正対象書類名】明細書
【補正対象項目名】００４５
【補正方法】変更
【補正の内容】
【００４５】
表示手段である液晶ユニット４２は、図柄を変動（可変）させて図柄組み合わせゲームを行うものであって、その前面側には液晶画面からなる可視表示部Ｈ（表示領域）が設けられている。かかる可視表示部Ｈは複数のゾーンｚ１，ｚ２，ｚ３に区分されている。図１４（ｃ）にて破線で示されるように、本実施形態では、横方向に長い矩形状の可視表示部Ｈを縦方向に２箇所で分けることにより、可視表示部Ｈに向かって左側の部分が第１ゾーンｚ１、中央の部分が第２ゾーンｚ２、右側の部分が第３ゾーンｚ３となっている。第１ゾーンｚ１には、第１図柄（いわゆる左図柄）が表示されるようになっている。第２ゾーンｚ２には、第２図柄（いわゆる中図柄）が表示されるようになっている。第３ゾーンｚ３には、第３図柄（いわゆる右図柄）が表示されるようになっている。「図柄の表示」とは、可視表示部Ｈのゾーンｚ１〜ｚ３において遊技者が図柄を識別できる状態で前記図柄が停止表示または変動表示していることである。「停止表示」には、いわゆる、ゆれ変動と言われる一旦停止状態と完全に停止した確定停止状態のいずれの状態も含まれている。


【手続補正２】
【補正対象書類名】明細書
【補正対象項目名】００５６
【補正方法】変更
【補正の内容】
【００５６】
また、パチンコ機１０では、遊技演出の演出内容に様々な趣向を凝らしている。例えば、液晶ユニット４２（可視表示部Ｈ）では、リーチを認識できる図柄組み合わせが表示された後、キャラクタを登場させて該キャラクタの動作に合わせて図柄組み合わせを表示させる等のリーチ演出が行われる。また、リーチ変動時に、液晶ユニット４２（可視表示部Ｈ）の手前側に機械的シャッター６０（図６，図７，図１４〜図１６参照）を出現させるとともに、液晶ユニット４２（可視表示部Ｈ）に遮蔽画像３１（図１７参照）を出現させて遮蔽を行う等のリーチ演出も行われる。「リーチ演出」は、リーチを認識できる図柄組み合わせが表示された後、全列の図柄による大当りまたはハズレを認識できる図柄組み合わせが表示されるまでの間に行われる演出である。そのため、このようなリーチ演出を経て、大当りを認識できる図柄組み合わせを表示させる場合、その遊技演出の演出内容は、特別遊技状態に発展する大当り演出となる。また、液晶ユニット４２（可視表示部Ｈ）にリーチを認識できる図柄組み合わせが表示されたと略同時に、電飾ランプ１６を激しく点滅させるなどの発光装飾が行われている。また、液晶ユニット４２（可視表示部Ｈ）にリーチを認識できる図柄組み合わせが表示されたと略同時に、スピーカ１７から「リーチ」という音声を出力させることなどが行われている。なお、以下の説明では、液晶ユニット４２（可視表示部Ｈ）の表示内容に基づく遊技演出を「表示演出」、電飾ランプ１６などの発光装飾に基づく遊技演出を「発光演出」、スピーカ１７などの音声出力に基づく遊技演出を「音声演出」ともいう。そして、パチンコ機１０では、表示演出に見合った（または関連した）発光演出や音声演出が行われるようになっている。


【手続補正３】
【補正対象書類名】明細書
【補正対象項目名】０１１９
【補正方法】変更
【補正の内容】
【０１１９】
統括ＣＰＵ２９ａは、かかる制御信号の入力を契機として、図１３（ｂ）に示した演出内容パターンを図１１及び図１２に示したフローチャートに従って判定し、制御コマンドを生成する。そして、統括ＣＰＵ２９ａは、その制御コマンドを各制御基板２６〜２８に対して出力する。


【手続補正４】
【補正対象書類名】明細書
【補正対象項目名】０１２１
【補正方法】変更
【補正の内容】
【０１２１】
主制御基板２５は、判定した変動パターンに予め設定された図柄を確定停止させるタイミングにて、図柄停止コマンドを統括制御基板２９に出力し、統括制御基板２９は、該図柄停止コマンドを表示制御基板２６に出力する。表示制御基板２６は、図柄停止コマンドの入力を契機として、可視表示部Ｈ上の図柄を停止表示させる。
【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  磁気読取り用麻雀牌であって：該磁気読取り用麻雀牌は、
前記麻雀牌本体に磁気情報記録体が埋設され；
前記磁気情報記録体は８個の情報記録磁性体と磁性体連結部材からなり；
前記情報記録磁性体は柱状体であり；
前記磁性体連結部材は板状体であり；
前記情報記録磁性体の柱状である一端が前記磁性体連結部材の板状体の１面に取り付けられ；
前記情報記録磁性体の柱状である他端が開放された；
磁気読取り用麻雀牌。
【請求項２】  前記情報記録磁性体の前記他端がＳ極あるいはＮ極に着磁されている；請求項１の磁気読取り用麻雀牌。
【請求項３】  前記情報記録磁性体の前記他端がＳ極，Ｎ極に着磁されあるいは非着磁とされている；請求項１の磁気読取り用麻雀牌。
【手続補正２】
【補正対象書類名】明細書
【補正対象項目名】００１９
【補正方法】変更
【補正の内容】
【００１９】
センサの配置例を示すと、１１個のセンサＩＣ：Ｓ１〜Ｓ１１は麻雀牌読取りセンサ部２０の長手方向に３列に配列されており、内側の１列には３個のセンサＩＣが、外側の２列には各４個のセンサＩＣが配列されている。これらのセンサは、センサＩＣ：Ｓ１が麻雀牌読取りセンサ部２０の中央に配置され、センサＩＣ：Ｓ２，Ｓ３，Ｓ４，Ｓ５，Ｓ６，Ｓ７はセンサＩＣ：Ｓ１を中心とする円周上を６等分する位置に配置され、センサＩＣ：Ｓ８，Ｓ３，Ｓ１，Ｓ７，Ｓ９は麻雀牌読取りセンサ部２０の上側中央に配置されたセンサＩＣＳ２を中心とする円周上を６等分する位置に配置され、センサＩＣ：Ｓ１０，Ｓ４，Ｓ１，Ｓ６，Ｓ１１は麻雀牌読取りセンサ部２０の下側中央に配置されたセンサＩＣ：Ｓ５を中心とする円周上を６等分する位置に配置されている。このように配置することにより各センサＩＣと隣接する他のセンサＩＣとの間隔は等距離になる。
【手続補正３】
【補正対象書類名】明細書
【補正対象項目名】００２６
【補正方法】変更
【補正の内容】
【００２６】
前に説明したように、麻雀牌読取りセンサ部２０は１１個のセンサＩＣ：Ｓ１〜Ｓ１１を有しているため、これらのセンサＩＣにより１１ビットの識別情報が出力される。出力された１１ビットの識別情報から牌の種類を判別するために、最初に図４(ａ)に示されたセンサＩＣ：Ｓ８〜Ｓ１１により麻雀牌の上下が判定される。次に残りのセンサＩＣ：Ｓ１〜Ｓ７により麻雀牌１０の識別情報が読み取られ、読み取られた結果を中央処理装置３０が記憶装置３１中のＲＯＭに書き込まれた牌参照テーブルと照合することにより麻雀牌１０の種類が判別される。
【手続補正４】
【補正対象書類名】明細書
【補正対象項目名】００２７
【補正方法】変更
【補正の内容】
【００２７】
この場合、センサＩＣ：Ｓ１〜Ｓ７により読み取られた識別情報をセンサＩＣ：Ｓ８〜Ｓ１１により判定された牌の上下情報に応じて識別情報を組替えた上で、読み取られた結果を参照テーブルと照合するようにすれば、参照テーブルに書き込まれている麻雀牌の種類を使用される牌の種類に対応する数にすることができる。
【手続補正５】
【補正対象書類名】明細書
【補正対象項目名】００３１
【補正方法】変更
【補正の内容】
【００３１】
このように麻雀牌が整列されると、麻雀牌検出スイッチ１１Ａ〜１１Ｄが動作し、その参加者が和了したと判断され、麻雀牌読取り装置が動作を開始する。整列された麻雀牌のうち、麻雀牌検出スイッチ１１Ａ及び１１Ｂを動作させた一連の麻雀牌は面前牌１２であると判断され、麻雀牌検出スイッチ１１Ｃ及び１１Ｄを動作させた一連の麻雀牌は副露牌１３であると判断され、面前牌１２及び副露牌１３の何れとも離れた位置に配列された１個の牌は和了牌１４であると判断される。
【手続補正６】
【補正対象書類名】明細書
【補正対象項目名】００４１
【補正方法】変更
【補正の内容】
【００４１】
図９に示すのは、磁性体片の隣接方向をＸ軸に、磁界をＹ軸にとったグラフである。磁性体片がＳ極，Ｓ極，なし，Ｓ極と配置された旧配置と、Ｓ極，Ｓ極，Ｎ極，Ｓ極と配置された新配置における磁束密度を示している。測定用のプローブは、磁性体片上約３.５mmの位置に置かれた。水平の点線で示すのは、Ｓ極を検出するセンサＩＣのオンレベルと、オフレベルである。この場合、６ミリテスラでオンし、１ミリテスラでオフになる。センサＩＣにはヒステリシス特性があり、一旦磁界がオンレベルを超えるとオフレベルを下回るまでオン信号を出力するものである。したがって、旧配置では磁性体片のない位置でほぼ０テスラを示すものの、X軸方向のずれがあるとオフレベルを下回らない可能性があり、製造誤差を考慮すると信頼性に欠けるものである。
【手続補正７】
【補正対象書類名】明細書
【補正対象項目名】００４２
【補正方法】変更
【補正の内容】
【００４２】
これに比べ、新配置ではオフを示すべき位置で−１１ミリテスラを示しており、十分にオフレベルを下回るから出力信号はオフを示し、検出は正常になされるものである。このように、現在入手可能な汎用品であるセンサＩＣのヒステリシス特性であっても、十分な識別力を有し、特注品である必要がなくなり実用性が高い。
【手続補正８】
【補正対象書類名】図面
【補正対象項目名】図９
【補正方法】変更
【補正の内容】
【図９】
2004129982.tif 000001
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
被験者に提示すべき刺激を配置した提示欄と、
前記刺激に反応した前記被験者が参照すべき選択肢を配置した選択肢欄とを有し、
前記提示欄に配置される前記刺激は、
所定の色群内の何れかの色を意味する文字を、その色群内の別の色で印刷してなる彩色文字であり、
前記選択肢欄に配置される前記選択肢は、
前記色群内の各色それぞれを意味する文字群を、無彩色で印刷してなる無彩色文字群であり、
前記彩色文字は、
色と文字との組み合わせを変化させつつ複数個並べて配置され、
前記無彩色文字群は、
少なくとも前記彩色文字と同数だけ並べて配置されている
ことを特徴とする文字色彩検査用の検査シート。
【請求項２】
請求項１に記載の文字色彩検査用の検査シートにおいて、
前記組み合わせの変化からは、
規則性が排除されている
ことを特徴とする文字色彩検査用の検査シート。
【請求項３】
請求項１又は請求項２に記載の文字色彩検査用の検査シートにおいて、
前記無彩色文字は、
文字順を変化させつつ並べて配置されている
ことを特徴とする文字色彩検査用の検査シート。
【請求項４】
請求項３に記載の文字色彩検査用の検査シートにおいて、
前記文字順の変化からは、
規則性が排除されている
ことを特徴とする文字色彩検査用の検査シート。
【請求項５】
請求項１〜請求項４の何れか一項に記載の文字色彩検査用の検査シートにおいて、
前記提示欄及び前記選択肢欄は、
色彩反応を検査する色彩反応検査用と文字反応を検査する文字反応検査用とに２組用意されている
ことを特徴とする文字色彩検査用の検査シート。
【請求項６】
請求項１〜請求項５の何れか一項に記載の文字色彩検査用の検査シートの内容を示す情報を記憶したことを特徴とするコンピュータ読み取り可能な記憶媒体。
【請求項７】
請求項６に記載のコンピュータ読み取り可能な記憶媒体において、
前記情報と共に、前記文字色彩検査用の検査シートを用いた検査方法、採点方法、評価方法の少なくとも１つの情報を記憶した
ことを特徴とするコンピュータ読み取り可能な記憶媒体。
【手続補正２】
【補正対象書類名】明細書
【補正対象項目名】００１４
【補正方法】変更
【補正の内容】
【００１４】
請求項４に記載の文字色彩検査用の検査シートは、請求項３に記載の文字色彩検査用の検査シートにおいて、前記文字順の変化からは、規則性が排除されていることを特徴とする。
請求項５に記載の文字色彩検査用の検査シートは、請求項１〜請求項４の何れか一項に記載の文字色彩検査用の検査シートにおいて、前記提示欄及び前記選択肢欄は、色彩反応を検査する色彩反応検査用と文字反応を検査する文字反応検査用とに２組用意されていることを特徴とする。
請求項６記載のコンピュータ読み取り可能な記憶媒体は、請求項１〜請求項５の何れか一項に記載の文字色彩検査用の検査シートの内容を示す情報を記憶したことを特徴とする。
請求項７に記載のコンピュータ読み取り可能な記憶媒体は、請求項６に記載のコンピュータ読み取り可能な記憶媒体において、前記情報と共に、前記文字色彩検査用の検査シートを用いた検査方法、採点方法、評価方法の少なくとも１つの情報を記憶したことを特徴とする。
【手続補正書】
【提出日】平成16年11月22日(2004.11.22)
【手続補正１】
【補正対象書類名】明細書
【補正対象項目名】請求項１
【補正方法】変更
【補正の内容】
【請求項１】
動画像コーディングシステムでＢピクチャのダイレクトモード動きベクトルを抽出する際に、
ダイレクトモードの list 1 レファランスピクチャの同一位置にあるブロックが持つ動きベクトルの一つを、前記ダイレクトモード動きベクトルの誘導のための動きベクトルとして選択し、このときの前記同一位置にあるブロックが持つ前記動きベクトルは、list 0 動きベクトルおよび／または list 1 動きベクトルからなり、
前記選択された動きベクトルの指しているレファランスピクチャを前記ダイレクトモードの list 0 レファランスピクチャと決定して、前記Ｂピクチャのダイレクトモードの動きベクトルを演算する
ことを特徴とするＢピクチャのダイレクトモード動きベクトル演算方法。
【手続補正２】
【補正対象書類名】明細書
【補正対象項目名】請求項２
【補正方法】変更
【補正の内容】
【請求項２】
動画像コーディングシステムでＢピクチャのダイレクトモード動きベクトルを抽出する際に、
ダイレクトモードの list 1 レファランスピクチャの同一位置にあるブロックが一つの list 1 動きベクトルのみを有する場合、前記 list 1 動きベクトルを、前記ダイレクトモードの動きベクトルの誘導のための動きベクトルとして選択し、
前記 list 1 動きベクトルの指しているレファランスピクチャを前記ダイレクトモードの list 0 レファランスピクチャと決定して前記Ｂピクチャのダイレクトモードの動きベクトルを演算する
ことを特徴とするＢピクチャのダイレクトモード動きベクトル演算方法。
【手続補正３】
【補正対象書類名】明細書
【補正対象項目名】請求項５
【補正方法】変更
【補正の内容】
【請求項５】
動画像コーディングシステムでＢピクチャのダイレクトモード動きベクトルを抽出する際に、
ダイレクトモードの list 1 レファランスピクチャの同一位置にあるブロックが二つの動きベクトルを持つ場合には、一つの動きベクトル(list 0 動きベクトルまたは list 1 動きベクトル)を選択し、
その選択された動きベクトルから前記Ｂピクチャの前記ダイレクトモード動きベクトルを誘導する
ことを特徴とするＢピクチャのダイレクトモード動きベクトル演算方法。
【手続補正書】
【提出日】平成16年6月8日(2004.6.8)
【手続補正１】
【補正対象書類名】明細書
【補正対象項目名】請求項２１
【補正方法】変更
【補正の内容】
【請求項２１】
画像からの色信号値を示す色信号値ペアを１つ以上取得する取得工程と、
取得された色信号値ペアに基づいて画像処理パラメータを決定する決定工程と、
前記決定工程によって決定された画像処理パラメータを登録する登録手段と、
前記決定工程で決定された画像処理パラメータに基づいて入力画像の色信号値を変換し、変換後の画像を出力画像として出力する変換工程とを備えることを特徴とする画像処理方法。
【手続補正書】
【提出日】平成16年5月26日(2004.5.26)
【手続補正１】
【補正対象書類名】特許請求の範囲
【補正対象項目名】全文
【補正方法】変更
【補正の内容】
【特許請求の範囲】
【請求項１】
デジタル映像データの同期情報の４バイト目に表示方式を示す識別情報を設定する手段と、
前記識別情報を設定したデジタル映像データを出力する手段を有する映像出力装置。
【請求項２】
前記同期情報は前記デジタル映像データのデータフォーマット内に設けられていることを特徴とする請求項１記載の映像出力装置。
【請求項３】
デジタル映像データの同期情報の４バイト目に表示方式を示す識別情報を設定し、
前記識別情報を設定したデジタル映像データを出力する映像出力方法。
【請求項４】
デジタル映像データの同期情報の４バイト目に表示装置の表示方式を示す識別情報を設定する手段と、
前記識別情報を設定したデジタル映像データを前記表示装置へ送信する手段を有する映像送信装置。
【請求項５】
デジタル映像データの同期情報の４バイト目に表示装置の表示方式を示す識別情報を設定し、
前記識別情報を設定したデジタル映像データを前記表示装置に送信する映像送信方法。
【手続補正２】
【補正対象書類名】明細書
【補正対象項目名】００１０
【補正方法】変更
【補正の内容】
【００１０】
本発明は、デジタル映像データの同期情報の４バイト目に表示方式を示す識別情報を設定する手段と、前記識別情報を設定したデジタル映像データを出力する手段を有する。
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  水平方向に延長されているグリップ(4)の両端に伸縮できる垂直ロッド(5)を連結している杖本体(1)と、この杖本体(1)の下端に連結され、かつ下面の四隅に固定しているキャスター(6)を介して垂直ロッド(5)を自立させる長方形の水平載台(2)と、水平載台(2)の上に脱着できるように装着されるカバン(3)とを備え、
水平載台(2)の四隅に設けているキャスター(6)は、外径を３０〜６０ｍｍとする車輪(10)を、回転軸(13)が水平面内で回動して移動方向を水平面内で自由に移動できるように水平載台(2)に装着されており、
杖本体(1)は、グリップ(4)を長方形である水平載台(2)の長手方向に沿って延長する姿勢として、垂直ロッド(5)の下端部を長方形である水平載台(2)の片側の長辺の両端部に固定しており、さらに垂直ロッド(5)は、上端に連結しているグリップ(4)を、下端部を固定している長方形の片側から水平載台(2)の中央部に位置させる方向に湾曲しているキャスターを有する杖。
【請求項２】  水平方向に延長されているグリップ(4)の両端に伸縮できる垂直ロッド(5)を連結している杖本体(1)と、この杖本体(1)の下端に連結され、かつ下面の四隅に固定しているキャスター(6)を介して垂直ロッド(5)を自立させる長方形の水平載台(2)と、水平載台(2)の上に脱着できるように装着されるカバン(3)とを備え、
水平載台(2)の四隅に設けているキャスター(6)は、外径を３０〜６０ｍｍとする車輪(10)を、回転軸(13)が水平面内で回動して移動方向を水平面内で自由に移動できるように水平載台(2)に装着されており、
杖本体(1)は、グリップ(4)を長方形である水平載台(2)の長手方向に沿って延長する姿勢として、垂直ロッド(5)の下端部を長方形である水平載台(2)の片側の長辺の両端部に固定しており、さらに垂直ロッド(5)は、上端に連結しているグリップ(4)を、下端部を固定している長方形の片側から水平載台(2)の中央部に位置させる方向に傾斜しているキャスターを有する杖。
【請求項３】  水平方向に延長されているグリップ(4)の両端に伸縮できる垂直ロッド(5)を連結している杖本体(1)と、この杖本体(1)の下端に連結され、かつ下面の四隅に固定しているキャスター(6)を介して垂直ロッド(5)を自立させる長方形の水平載台(2)と、水平載台(2)の上に脱着できるように装着されるカバン(3)とを備え、
水平載台(2)の四隅に設けているキャスター(6)は、外径を３０〜６０ｍｍとする車輪(10)を、回転軸(13)が水平面内で回動して移動方向を水平面内で自由に移動できるように水平載台(2)に装着されており、
杖本体(1)は、グリップ(4)を長方形である水平載台(2)の長手方向に沿って延長する姿勢として、垂直ロッド(5)の下端部を長方形である水平載台(2)の片側の長辺の両端部に固定しており、さらに水平載台(2)は、垂直ロッド(5)を固定している側部に、キャスター(6)を固定する突出部(9)を設けており、キャスター(6)を突出部(9)の下面に設けて、両側のキャスター(6)の間に杖本体(1)のグリップ(4)を配設しているキャスターを有する杖。
【請求項４】  垂直ロッド(5)を収縮位置とする状態で、グリップ(4)がカバン(3)の上に配設される請求項１ないし３に記載されるキャスターを有する杖。
【請求項５】  長方形である水平載台(2)の幅が１０〜２５ｃｍである請求項１ないし３に記載されるキャスターを有する杖。
【請求項６】  長方形である水平載台(2)の長さが幅よりも長く、２５〜５０ｃｍである請求項５に記載されるキャスターを有する杖。
【手続補正２】
【補正対象書類名】図面
【補正対象項目名】図１０
【補正方法】変更
【補正の内容】
【図１０】
2004129880.tif 000001
【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】合成樹脂を溶融紡糸してなる単糸デニール２２０ｄｔｅｘ以上２６００ｄｔｅｘ以下の異形断面モノフィラメントの長手方向に撚りを掛けて熱セットし、表面に螺旋状の凹凸が形成されたねじりモノフィラメントからなることを特徴とする釣り糸。
【請求項２】前記合成樹脂が、ポリアミド系樹脂、フッ素系樹脂およびポリエステル系樹脂から選ばれた少なくとも１種であることを特徴とする請求項１に記載の釣り糸。
【請求項３】前記ねじりモノフィラメントのＪＩＳ  Ｌ１０１３の規定に準じて測定した引張強度が５００ＭＰａ以上であることを特徴とする請求項１または２に記載の釣り糸。
【請求項４】前記引張強度が５５０ＭＰａ以上であることを特徴とする請求項３に記載の釣り糸。
【請求項５】前記ねじりモノフィラメントの断面形状が、三角形、四角形、五角形、六角形、クローバー型、多葉型および星形から選ばれたいずれか１種であることを特徴とする請求項１〜４のいずれか１項に記載の釣り糸。
【手続補正２】
【補正対象書類名】明細書
【補正対象項目名】００１０
【補正方法】変更
【補正の内容】
【００１０】
したがって、本発明の目的は、スベリ性が良くてガイドとの摩擦抵抗が低く、インナーガイド竿を使った場合でも仕掛けの飛距離を出すことが可能であるばかりか、自然に仕掛を流すことができ、スピニングリールに巻いて使った場合でも糸よれが入りにくく、ライントラブルを起こさない釣り糸を提供することにある。 
【手続補正３】
【補正対象書類名】明細書
【補正対象項目名】００１９
【補正方法】変更
【補正の内容】
【００１９】
本発明の釣り糸を形成するねじりモノフィラメントは、上記合成樹脂を通常の方法で異形断面口金を使用して溶融紡糸し、必要に応じて延伸した後、この異形断面モノフィラメントの長手方向に撚りを掛けて熱固定することにより得られるが、この場合の撚りピッチは３０〜９０ターン／１０ｃｍ程度であることが好ましい。
【包括委任状番号】  ０３１０３３１
【手続補正書】
【提出日】平成17年9月30日(2005.9.30)
【手続補正１】
【補正対象書類名】明細書
【補正対象項目名】００２６
【補正方法】変更
【補正の内容】
【００２６】
遠視眼の場合、固視標３４を近用位置に位置させて見せると、調節力をより働かせる必要があり、苦労する。したがって、遠視眼においては、特にこの近用位置での見え方の比較をすることにより、より眼鏡等の有用性を感じることができる。
【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】
被検体に超音波を送受する複数の振動子を円筒状の先端部の周面に複数配列してなる探触子と、該探触子を駆動する送信部と、前記被検体からの反射エコー信号を受信しその信号を信号処理して円形のラジアル像を生成する画像処理部と、前記ラジアル像を表示する表示部とを備え、
前記探触子の走査範囲を可変設定する手段と、該可変設定された走査範囲に対応して前記探触子を駆動走査させる制御手段とを備えたことを特徴とする超音波診断装置。
【請求項２】
前記可変設定手段は、前記探触子の走査開始ラインに対応するマーカを前記表示部に表示させ、前記マーカの位置に基づき前記走査範囲を設定することを特徴とする請求項１に記載の超音波診断装置。
【請求項３】
前記可変設定手段は、前記ラジアル像の周方向に沿って前記マーカを移動させることを特徴とする請求項２に記載の超音波診断装置。
【請求項４】
前記可変設定手段は、前記被検体の関心領域からずれた位置に前記マーカを移動させることを特徴とする請求項２に記載の超音波診断装置。
【請求項５】
前記可変設定手段は、予め設定された所定角度ごとに前記ラジアル像の周方向に沿って前記マーカを移動させることを特徴とする請求項２に記載の超音波診断装置。
【請求項６】
前記可変設定手段は、前記ラジアル像が１フレーム取得される度に、予め設定された走査ライン数だけ前記マーカを移動させることを特徴とする請求項２に記載の超音波診断装置。
【手続補正２】
【補正対象書類名】明細書
【補正対象項目名】００１２
【補正方法】変更
【補正の内容】
【００１２】
【課題を解決するための手段】
上記目的を達成するため、本発明の超音波診断装置は、被検体に超音波を送受する複数の振動子を円筒状の先端部の周面に複数配列してなる探触子と、探触子を駆動する送信部と、被検体からの反射エコー信号を受信しその信号を信号処理して円形のラジアル像を生成する画像処理部と、ラジアル像を表示する表示部とを備え、探触子の走査範囲を可変設定する手段と、可変設定された走査範囲に対応して探触子を駆動走査させる制御手段とを備えたことを特徴とする。
【手続補正３】
【補正対象書類名】明細書
【補正対象項目名】００１５
【補正方法】変更
【補正の内容】
【００１５】
この場合において、可変設定手段は、探触子の走査開始ラインに対応するマーカを表示部に表示させ、マーカの位置に基づき走査範囲を設定できる。これにより、観者例えば医師は、視覚的に把握し易いマーカを例えば移動して走査範囲を設定すれば、マーカが表示されていない画面上で直感的に走査開始ラインを設定する場合に比べて、設定操作が容易となる。
【手続補正４】
【補正対象書類名】明細書
【補正対象項目名】００１６
【補正方法】変更
【補正の内容】
【００１６】
走査範囲を設定するに際し、可変設定手段は、ラジアル像の周方向に沿って前記マーカを移動させることができる。これにより、観者は、表示された超音波画像を参照しながら、その画像に沿って走査範囲を視覚的に設定することができので、簡単に走査範囲を設定することができる。また、予め設定された所定角度ごとにラジアル像の周方向に沿ってマーカを移動させることができる。またラジアル像が１フレーム取得される度に、予め設定された走査ライン数だけマーカを移動させることができる。
【手続補正書】
【提出日】平成16年10月18日(2004.10.18)
【手続補正１】
【補正対象書類名】明細書
【補正対象項目名】特許請求の範囲
【補正方法】変更
【補正の内容】
【特許請求の範囲】
【請求項１】
超音波パルスを生体に送信し、前記生体から反射される超音波パルスを受信して、前記生体のＢモード画像データを得る超音波イメージング装置に於いて、
前記Ｂモード画像データから、前記生体の組織の構造を強調した構造強調画像データを抽出する構造抽出部と、
前記Ｂモード画像データから、前記生体の組織の性状に起因するテクスチャパターンを強調したテクスチャ強調画像データを抽出するテクスチャパターン抽出部と、
前記構造強調画像データと前記テクスチャ強調画像データとをそれぞれ重み付けて合成し、合成画像を求める合成部と、
前記構造強調画像データ、前記テクスチャ強調画像データ、前記合成画像の少なくとも１つを表示する表示部と、を有することを特徴とする超音波イメージング装置。
【請求項２】
請求項１に記載の超音波イメージング装置に於いて、重みを変えた２つの合成画像を並べて表示するよう構成したことを特徴とする超音波イメージング装置。
【請求項３】
請求項１に記載の超音波イメージング装置に於いて、前記構造抽出部は、前記生体内で少なくとも一方向に連続的に分布する点反射体の集合によって構成される生体組織の構造を抽出することを特徴とする超音波イメージング装置。
【請求項４】
請求項１に記載の超音波イメージング装置に於いて、前記テクスチャパターン抽出部は、前記生体内で連続的に分布せずに、点在する点反射体の集合によって構成される反射源に起因する成分を抽出することを特徴とする超音波イメージング装置。
【請求項５】
請求項１に記載の超音波イメージング装置に於いて、前記構造抽出部は、
前記Ｂモード画像データの各画素の周辺画素の範囲を定める手段と、
前記各画素の輝度と前記周辺画素の各画素の輝度差から重み関数を決定するための関数を求める手段とを有し、
前記関数は０の時に極大点をもち、負の無限大から正の無限大の範囲での前記関数の絶対値の積分値は有限であり、前記関数の微分から、前記周辺画素の各画素に対する前記重み関数を決定して、前記重み関数と前記周辺画素の各画素の輝度との積和を前記Ｂモード画像データの各画素の輝度に加算した値を、前記構造強調画像データの各画素の信号強度とすることを特徴とする超音波イメージング装置。
【請求項６】
請求項１記載の超音波イメージング装置に於いて、前記テクスチャパターン抽出部は、前記Ｂモード画像データの同一フレーム内の画素の信号強度の２方向に於ける微分フイルタを用いて、前記テクスチャパターンを強調することを特徴とする超音波イメージング装置。
【請求項７】
請求項１記載の超音波イメージング装置に於いて、前記Ｂモード画像データの同一フレーム内の画素の信号強度の分布に基づいて、前記構造抽出部、前記テクスチャパターン抽出部、前記合成部に信号処理のためのパラメータを設定するパラメータ設定部を有することを特徴とする超音波イメージング装置。
【請求項８】
請求項７に記載の超音波イメージング装置に於いて、超音波パルスを生体に送信して反射された受波信号から、受波ビーム信号であるＲＦ信号を生成して出力する受波ビームフォーマと、前記受波ビームフォーマを制御する制御手段とを有しており、前記パラメータ設定部は、前記制御手段により、前記探触子の条件、撮像対象部位、撮像条件のパラメータが設定されることを特徴とする超音波イメージング装置。
【請求項９】
請求項７に記載の超音波イメージング装置に於いて、前記パラメータ設定部は、超音波パルスを生体に送信して前記生体から反射される受波信号が入力されていることを特徴とする超音波イメージング装置。
【請求項１０】
請求項７に記載の超音波イメージング装置に於いて、前記パラメータ設定部は、前記生体から反射された受波信号から生成されたＲＦ信号の包絡線を検出して生成されたビデオ信号が入力されることを特徴とする超音波イメージング装置。
【請求項１１】
請求項１記載の超音波イメージング装置に於いて、前記合成部の出力から前記生体の撮像対象部位を３次元表示するためのデータを生成するレンダリング部を有し、前記表示部に、前記生体の撮像対象部位が３次元表示されることを特徴とする超音波イメージング装置。
【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
二軸延伸ポリプロピレンフィルムの少なくとも片面に、２液硬化型のポリエステル樹脂により形成されるポリエステル樹脂コーティング層／金属または金属酸化物層を順次積層してなるガスバリアー性フィルム。
【請求項２】
金属または金属酸化物層がアルミニウムまたは反応性蒸着により得られた酸化アルミニウムであることを特徴とする請求項１記載のガスバリアー性フィルム。
【請求項３】
ポリエステル樹脂コーティング層を形成するポリエステル樹脂が１μｍ厚みのフィルムにした場合その全光線透過率が８０％以上であることを特徴とする請求項１〜２記載のガスバリアー性フィルム。
【請求項４】
ポリエステル樹脂コーティング層を形成するポリエステル樹脂が１μｍ厚みのフィルムにした場合そのヘイズが５％以下であることを特徴とする請求項１〜３記載のガスバリアー性フィルム。
【請求項５】
ポリエステル樹脂コーティング層の厚みが０．５μｍ以上であることを特徴とする請求項１〜４記載のガスバリアー性フィルム。
【手続補正２】
【補正対象書類名】明細書
【補正対象項目名】０００６
【補正方法】変更
【補正の内容】
【０００６】
［１］二軸延伸ポリプロピレンフィルムの少なくとも片面に、２液硬化型のポリエステル樹脂により形成されるポリエステル樹脂コーティング層／金属または金属酸化物層を順次積層してなるガスバリアー性フィルム。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
［３］ポリエステル樹脂コーティング層を形成するポリエステル樹脂が１μｍ厚みのフィルムにした場合その全光線透過率が８０％以上であることを特徴とする上記［１］〜［２］記載のガスバリアー性フィルム。
【手続補正５】
【補正対象書類名】明細書
【補正対象項目名】００１０
【補正方法】変更
【補正の内容】
【００１０】
［４］ポリエステル樹脂コーティング層を形成するポリエステル樹脂が１μｍ厚みのフィルムにした場合そのヘイズが５％以下であることを特徴とする上記［１］〜［３］記載のガスバリアー性フィルム。
【手続補正６】
【補正対象書類名】明細書
【補正対象項目名】００１１
【補正方法】変更
【補正の内容】
【００１１】
［５］ポリエステル樹脂コーティング層の厚みが０．５μｍ以上であることを特徴とする上記｛１］〜［４］記載のガスバリアー性フィルム。
【手続補正７】
【補正対象書類名】明細書
【補正対象項目名】００２１
【補正方法】変更
【補正の内容】
【００２１】
【発明の効果】
以上のように本発明によれば、二軸延伸ポリプロビレンフィルムの少なくとも片面に、２液硬化型のポリエステル樹脂により形成されるポリエステル樹脂コーティング層を施した後に、金属または金属酸化物層とくにその蒸着薄膜を形成することにより、酸素および水蒸気に対する遮断性に優れた二軸延伸ポリプロビレンフィルムが提供された。